(57)【要約】【課題】スリム化されたエッジ部を有する曲面表示装置を提供する。【解決手段】曲面表示装置は曲がった形状を有して曲面の表示領域を有する表示パネルと前記表示パネル側に光を提供するバックライトアセンブリとを含む。前記バックライトアセンブリは前記光を発生する少なくとも１つの光源及び前記光源から提供された前記光を前記表示パネル側にガイドする導光部材を含む。前記導光部材は前記光源を介して分割された少なくとも２つの導光部を有する。【選択図】図３Ａ
2016136250.tif 000002
【特許請求の範囲】
【請求項１】
曲がった形状を有し、曲面の表示領域を有する表示パネルと、
前記表示パネル側に光を提供するバックライトアセンブリと、
を含み、
前記バックライトアセンブリは、
前記光を発生する少なくとも１つの光源と、
前記光源から提供された前記光を前記表示パネル側にガイドし、前記光源を介して分割された少なくとも２つの導光部を有する導光部材と、
を含む曲面表示装置。
【請求項２】
前記導光部材は、
前記光源の一側に配置された第１導光部と、
前記光源の他側に配置され、前記光源を介して前記第１導光部から離隔された第２導光部と、
を含むことを特徴とする請求項１に記載の曲面表示装置。
【請求項３】
前記第１導光部及び第２導光部の各々は、入光面及び前記入光面と対向する対向面を有し、前記第１導光部及び第２導光部の各々の厚さは、前記入光面から前記対向面へと近づくほど、減少することを特徴とする請求項２に記載の曲面表示装置。
【請求項４】
前記第１導光部及び前記第２導光部の各々は、フラットな（flat）形状を有することを特徴とする請求項２に記載の曲面表示装置。
【請求項５】
側面上で前記第１導光部及び第２導光部の各々は、前記表示パネルの互いに対向する２つのエッジ部を連結する基準線に対して傾いていることを特徴とする請求項２に記載の曲面表示装置。
【請求項６】
側面上で前記表示パネルは、第１方向に沿って曲がった形状を有し、側面上で前記第１導光部及び第２導光部の各々は、前記第１方向の斜線方向に並べられていることを特徴とする請求項４に記載の曲面表示装置。
【請求項７】
前記バックライトアセンブリは、
前記光源を実装する印刷回路基板と、
前記光源、前記導光部材、及び前記印刷回路基板を収納する収納部材と、
をさらに含み、
前記印刷回路基板は、前記第１導光部と第２導光部との間に重畳することを特徴とする請求項２に記載の曲面表示装置。
【請求項８】
前記収納部材は、底部及び前記底部から延在された多数の側壁を含み、
前記底部は、
前記第１導光部と対向する第１底部と、
前記第２導光部と対向する第２底部と、
前記第１底部を前記第２底部に連結し、前記印刷回路基板と対向する中央底部と、
を含むことを特徴とする請求項７に記載の曲面表示装置。
【請求項９】
側面上で前記第１底部及び第２底部の各々は、前記中央底部に対して傾いていることを特徴とする請求項８に記載の曲面表示装置。
【請求項１０】
側面上で前記表示パネルは、第１方向に沿って曲がった形状を有し、側面上で前記第１底部及び第２底部の各々は、前記第１方向の斜線方向に並べられていることを特徴とする請求項８に記載の曲面表示装置。
【請求項１１】
前記バックライトアセンブリは、前記収納部材の前記底部と前記導光部材との間に配置された反射板をさらに含み、
前記反射板は、
前記第１底部と前記第１導光部との間に配置された第１反射部と、
前記第２底部と前記第２導光部との間に配置された第２反射部と、
を含むことを特徴とする請求項８に記載の曲面表示装置。
【請求項１２】
前記バックライトアセンブリは、
前記表示パネルと前記導光部材との間に配置されて曲がった形状を有し、前記導光部材から出射されて前記表示パネル側に入射される光の経路を調節する少なくとも１つの光学部材をさらに含むことを特徴とする請求項２に記載の曲面表示装置。
【請求項１３】
前記バックライトアセンブリは、
前記第１導光部と第２導光部との間と重畳されて前記光源をカバーする反射部材と、
前記反射部材と前記光学部材との間に配置されて前記光学部材を支持する支持部材と、
を、さらに含むことを特徴とする請求項１２に記載の曲面表示装置。
【請求項１４】
前記バックライトアセンブリは、
前記第１導光部と第２導光部との間に配置されて前記光源をカバーし、前記光源から発生された光を前記第１導光部側及び第２導光部側に屈折させる光学レンズと、
前記第１導光部と第２導光部との間に重畳されて前記光学レンズをカバーする反射部材と、
をさらに含むことを特徴とする請求項７に記載の曲面表示装置。
【請求項１５】
前記バックライトアセンブリは、
光反射特性を有し、前記第１導光部及び第２導光部の互いに対向する端部をカバーしており、前記光源の出光面に対して傾いている出射面を含んでおり、前記光源から出射された光を前記第１導光部側及び第２導光部側に反射させる反射型カバー部材をさらに含むことを特徴とする請求項７に記載の曲面表示装置。
【請求項１６】
前記バックライトアセンブリは、
前記第１導光部と第２導光部との間に配置された補助支持部材と、
前記第１導光部と第２導光部との間に重畳されて前記光源をカバーする反射部材と、
をさらに含み、
前記補助支持部材は、前記導光部材の入光面と対向する傾斜面を有し、前記印刷回路基板は、前記傾斜面上に配置されたことを特徴とする請求項７に記載の曲面表示装置。
【請求項１７】
前記バックライトアセンブリは、前記第１導光部及び第２導光部の互いに対向する端部をカバーする拡散部材をさらに含むことを特徴とする請求項７に記載の曲面表示装置。
【請求項１８】
前記拡散部材は、バース部及び前記バース部上に配置された光散乱部を含み、前記光源の位置と対応する前記バース部の領域での前記光散乱部の密度は、前記光源と前記光源に隣接する別光源との間に対応する前記バース部の領域での前記光散乱部の密度より大きいことを特徴とする請求項１７に記載の曲面表示装置。
【請求項１９】
曲がった形状を有し、曲面の表示領域を有する表示パネルと、
前記表示パネル側に光を提供するバックライトアセンブリと、
を含み、
前記バックライトアセンブリは、
前記表示パネルの短辺方向に配列されて前記光を発生する多数の光源と、
前記多数の光源から提供された前記光を前記表示パネル側にガイドし、前記多数の光源からの距離が増加するほど、小さくなる厚さを有する導光部材と、
を含む曲面表示装置。
【請求項２０】
前記導光部材は、
フラットな形状を有して前記多数の光源の一側に配置された第１導光部と、
フラットな形状を有して前記多数の光源の他側に配置された第２導光部と、
を含み、
前記第１導光部及び第２導光部の各々は、入光面及び前記入光面と対向する対向面を有し、前記入光面は、前記表示パネルの前記短辺方向に並べられており、前記第１導光部及び第２導光部の各々の厚さは、前記入光面から前記対向面へと近づくほど、減少することを特徴とする請求項１９に記載の曲面表示装置。
【請求項２１】
側面上で前記第１導光部及び第２導光部の各々は、前記表示パネルの前記２つのエッジ部を連結する基準線に対して傾いていることを特徴とする請求項２０に記載の曲面表示装置。
【請求項２２】
側面上で前記表示パネルは、第１方向に沿って曲がった形状を有し、側面上で前記第１導光部及び第２導光部の各々は、前記第１方向の斜線方向に並べられたことを特徴とする請求項２０に記載の曲面表示装置。
【請求項２３】
前記バックライトアセンブリは、
前記多数の光源を実装し、前記第１導光部と第２導光部との間に重畳する印刷回路基板と、
前記多数の光源、前記導光部材及び前記印刷回路基板を収納する収納部材と、
をさらに含み、
前記収納部材は、
前記第１導光部と対向する第１底部と、
前記第２導光部と対向する第２底部と、
前記第１底部を前記第２底部に連結し、前記印刷回路基板と対向する中央底部と、
を含むことを特徴とする請求項２０に記載の曲面表示装置。
【請求項２４】
側面上で前記第１底部及び第２底部の各々は、前記中央底部に対して傾いていることを特徴とする請求項２３に記載の曲面表示装置。
【請求項２５】
前記バックライトアセンブリは、前記収納部材の底部と前記導光部材との間に配置された反射板をさらに含み、
前記反射板は、
前記第１底部と前記第１導光部との間に配置された第１反射部と、
前記第２底部と前記第２導光部との間に配置された第２反射部と、
を含むことを特徴とする請求項２３に記載の曲面表示装置。
【請求項２６】
前記バックライトアセンブリは、
前記表示パネル及び前記導光部材の間に配置されて曲がった形状を有し、前記導光部材から出射されて前記表示パネル側に入射された光の経路を調節する少なくとも１つの光学部材と、
前記第１導光部と第２導光部との間に重畳されて前記多数の光源をカバーする反射部材と、
前記反射部材と前記光学部材との間に配置されて前記光学部材を支持する支持部材と、
をさらに含むことを特徴とする請求項２０に記載の曲面表示装置。
【発明の詳細な説明】
【技術分野】
【０００１】
本発明は曲面表示装置に関し、より詳細には曲面の表示領域を有する曲面表示装置に関する。
【背景技術】
【０００２】
平板表示装置はＴＶ、モニター、ノートブック型コンピューター及び携帯電話等の多様な情報処理装置に映像を表示する用途として使用されている。最近には曲がった形状を有する曲面表示装置が開発され、このような曲面表示装置は曲面の形状を有する表示領域を提供して使用者に立体感、没入感、及び臨場感が向上された映像を提供することができる。
【先行技術文献】
【特許文献】
【０００３】
【特許文献１】米国特許第８，３３４，９４８号公報
【特許文献２】米国特許第８，６０２，５８１号公報
【特許文献３】米国特許公開第２００６／０１５２８２０号明細書
【特許文献４】米国特許公開第２０１０／０１５７５７７号明細書
【特許文献５】米国特許公開第２０１２／００２００５６号明細書
【特許文献６】米国特許公開第２０１３／０３２９１６２号明細書
【発明の概要】
【発明が解決しようとする課題】
【０００４】
本発明の目的はスリム化されたエッジ部を有する曲面表示装置を提供することにある。
【課題を解決するための手段】
【０００５】
上述した本発明の目的を達成するために、本発明による曲面表示装置は、曲がった形状を有して曲面の表示領域を有する表示パネルと前記表示パネル側に光を提供するバックライトアセンブリとを含む。
前記バックライトアセンブリは、前記光を発生する少なくとも１つの光源及び前記光源から提供された前記光を前記表示パネル側にガイドする導光部材を含む。前記導光部材は、前記光源を介して分割された少なくとも２つの導光部を有する。
【０００６】
本発明の実施形態によれば、前記導光部材は、第１導光部及び第２導光部を含むことができる。前記第１導光部は、前記光源の一側に配置され、前記第２導光部は、前記光源の他側に配置され、前記第２導光部は、前記光源を介して前記第１導光部から離隔させることができる。
本発明の実施形態によれば、前記第１導光部及び第２導光部の各々は、入光面及び前記入光面と対向する対向面を有し、前記第１導光部及び第２導光部の各々の厚さは、前記入光面から前記対向面へと近づくほど、減少させることができる。
本発明の実施形態によれば、前記第１導光部及び前記第２導光部の各々は、フラットな形状を有する。
本発明の実施形態によれば、側面上で前記第１導光部及び第２導光部の各々は、前記表示パネルの互いに対向する２つのエッジ部を連結する基準線に対して傾かせている。
本発明の実施形態によれば、側面上で前記表示パネルは、第１方向に沿って曲がった形状を有し、側面上で前記第１導光部及び第２導光部の各々は、前記第１方向の斜線方向に並べることができる。
【０００７】
本発明の実施形態によれば、前記バックライトアセンブリは、前記光源を実装する印刷回路基板及び収納部材をさらに含み、前記印刷回路基板は、前記第１導光部と第２導光部との間に重畳することができる。
本発明の実施形態によれば、前記収納部材は、底部及び前記底部から延在された多数の側壁を含むことができる。前記底部は、前記第１導光部と対向する第１底部、前記第２導光部と対向する第２底部、及び前記第１底部を前記第２底部に連結する中央底部を含み、前記中央底部は、前記印刷回路基板と対向することができる。
本発明の実施形態によれば、側面上で前記第１底部及び第２底部の各々は、前記中央底部に対して傾かせている。
【０００８】
本発明の実施形態によれば、前記バックライトアセンブリは、前記収納部材の前記底部と前記導光部材との間に配置された反射板をさらに含むことができる。前記反射板は、第１反射部及び第２反射部を含み、前記第１反射部は、前記第１底部と前記第１導光部との間に配置され、前記第２反射部は、前記第２底部及び前記第２導光部上に配置させることができる。
本発明の実施形態によれば、前記バックライトアセンブリは、前記第１導光部と第２導光部との間に重畳されて前記光源をカバーする反射部材、及び前記反射部材及び前記光学部材の間に配置されて前記光学部材を支持する支持部材さらに含むことができる。
本発明の実施形態によれば、前記バックライトアセンブリは、光学レンズ及び反射部材をさらに含むことができる。前記光学レンズは、前記第１導光部と第２導光部との間に配置されて前記光源をカバーし、前記光学レンズは、前記光源から発生された光を前記第１導光部側及び第２導光部側に屈折させることができる。前記反射部材は、前記第１導光部と第２導光部との間に重畳されて前記光学レンズをカバーすることができる。
本発明の実施形態によれば、前記バックライトアセンブリは、反射型カバー部材をさらに含み、前記反射型カバー部材は、光反射特性を有して前記第１導光部及び第２導光部の互いに対向する端部をカバーし、前記反射型カバー部材は、前記光源の出光面に対し傾いた出射面を含んで前記光源から出射された光を前記第１導光部側及び第２導光部側に屈折させることができる。
【０００９】
本発明の実施形態によれば、前記バックライトアセンブリは、前記第１導光部と第２導光部との間に配置された補助支持部材及び前記第１導光部と第２導光部との間に重畳されて前記光源をカバーする反射部材をさらに含むことができる。前記補助支持部材は、前記導光部材の入光面と対向する傾斜面を有し、前記印刷回路基板は、前記傾斜面上に配置させることができる。
上述した本発明の目的を達成するために、本発明による別曲面表示装置は、曲がった形状を有して曲面の表示領域を有する表示パネルと前記表示パネル側に光を提供するバックライトアセンブリとを含む。
前記バックライトアセンブリは、多数の光源及び前記多数の光源から提供された前記光を前記表示パネル側にガイドする導光部材を含む。前記多数の光源は、前記表示パネルの短辺方向に配列される。尚、前記導光部材の厚さは、前記表示パネルの前記短辺方向に並べられた２つのエッジ部の各々へと近づくほど、減少する。
【発明の効果】
【００１０】
本発明の実施形態によれば、互いに離隔された導光部と導光部との間に配置された多数の光源を利用して曲面表示装置のバックライトアセンブリを具現することができる。尚、導光部の各々を楔型の構造に設計することによって曲面表示装置のエッジ部の厚さを顕著に減少させることができる。
また、本発明の実施形態によれば、多数の光源を含む発光ユニットは曲面表示装置の表示領域と重畳されて位置することができる。したがって、表示領域の外側領域に位置する一般的なエッジ型（edge type）のバックライトアセンブリを含む曲面表示装置は多数の光源を実装するのに体積の増加を不可避に伴うが、本発明の実施形態による曲面表示装置では発光ユニットを実装するのに必要な空間が最小化されるので、曲面表示装置の体積を減少させることができ、特に曲面表示装置のエッジ部の体積を減少させることができる。
尚、本発明の実施形態によれば、導光部材の導光部の各々は多数の光源と対向する入射面及び入射面と対向する対向面を有し、対向面に対応する導光部のエッジ部を容易にスリム化することができる。言い換えれば、入射面の面積は導光部材のスリム化と関係ないので、入射面の面積を十分に大きくして多数の光源から光が入射される入光効率を向上させることができる。即ち、入光効率を向上させるために導光部材のエッジ部の厚さが増加されないので、導光部材のスリム化を容易に達成することができる。
【図面の簡単な説明】
【００１１】
【図１Ａ】本発明の一実施形態による表示装置の分解斜視図である。
【図１Ｂ】図１Ａに図示された曲面表示装置の平面図である。
【図２】図１Ａに図示された曲面表示装置の分解斜視図である。
【図３Ａ】図２のＩ−Ｉ’に沿って切断された面を示す断面図である。
【図３Ｂ】図２に図示された導光部材及び発光ユニットの結合関係を示す部分斜視図である。
【図３Ｃ】図３Ａに図示された導光部材及び発光ユニットを拡大した図面である。
【図４】本発明の他の実施形態による曲面表示装置の発光ユニット及び導光部材を示す断面図である。
【図５】本発明の他の実施形態による曲面表示装置の発光ユニット及び導光部材を示す断面図である。
【図６Ａ】本発明の他の実施形態による曲面表示装置の発光ユニット及び導光部材を示す図面である。
【図６Ｂ】本発明の他の実施形態による曲面表示装置の発光ユニット及び導光部材を示す図面である。
【図７】本発明の他の実施形態による曲面表示装置の発光ユニット及び導光部材を示す断面図である。
【発明を実施するための形態】
【００１２】
以下、添付した図面を参照して本発明の実施形態を詳細に説明する。上述した本発明の目的、特徴、及び効果は図面と関連付けられた実施形態を通して容易に理解できる。但し、本発明はここで説明される実施形態に限定されるものでなく、多様な形態に応用されて変形されることもあり得る。むしろ、後述される本発明の実施形態は本発明によって開示された技術思想をより明確にし、さらに本発明が属する分野で平均的な知識を有する当業者に本発明の技術思想が十分に伝達されるように提供される。したがって、本発明の範囲は後述される実施形態によって限定されるものとして解釈されてはならない。一方、下記の実施形態と図面上において同一の参照番号は同一の構成要素を示す。
また、本明細書で「第１」、「第２」等の用語は限定的な意味ではなく、１つの構成要素を他の構成要素と区別する目的で使用されている。また、膜、領域、構成要素等の部分が他の部分「上に」又は「うえに」あるとする時、他の部分の直ぐ上にある場合のみならず、その中間に他の膜、領域、構成要素等が介在されている場合も含む。
【００１３】
図１Ａは本発明の一実施形態による曲面表示装置の斜視図であり、図１Ｂは図１Ａに図示された曲面表示装置の平面図である。
図１Ａ及び図１Ｂを参照すると、曲面表示装置６００は第１方向ＤＲ１に沿って曲がった形状を有し、曲面表示装置６００は曲面の表示領域ＤＡを提供する。したがって、曲面表示装置６００は表示領域ＤＡを通じて使用者に立体感、没入感、及び臨場感が向上された映像を提供することができる。
この実施形態では、視聴者の視聴ポイントＶＰを基準に表示領域ＤＡは凹んだ曲面の形状を有する。他の実施形態では、表示領域ＤＡは視聴ポイントＶＰを基準に膨らんでいる曲面の形状を有してもよい。
【００１４】
曲面表示装置６００は収納部材５８０、表示パネル５２０、バックライトアセンブリ（図２の５００）及びカバー部材５１０を含む。
この実施形態では、表示パネル５２０は液晶表示パネルであり、表示パネル５２０はバックライトアセンブリから出力される光を利用して映像を表示する。他の実施形態では表示パネル５２０はナノクリスタル（nano-crystal）表示パネル、電気泳動表示パネル、及びエレクトロ・ウェッティング表示パネルのような他の種類の表示パネルであってもよい。
表示パネル５２０は第１方向ＤＲ１に沿って曲がった形状を有する。これによって、表示パネル５２０の長辺Ｅ１は第１方向ＤＲ１に沿って曲がった曲線の形状を有し、表示パネル５２０の短辺Ｅ２は第１方向ＤＲ１と実質的に直交する第２方向ＤＲ２の直線形状を有する。
【００１５】
収納部材５８０は表示パネル５２０を収納し、カバー部材５１０は表示パネル５２０を収納した収納部材５８０と結合される。カバー部材５１０は表示領域ＤＡに対応して開口された形状を有して表示パネル５２０の枠をカバーし、その結果、表示領域ＤＡは外部に露出される。
曲面表示装置６００に第２方向ＤＲ２の互いに対向する第１エッジ部ＥＰ１及び第２エッジ部ＥＰ２が定義され、第２方向ＤＲ２に並んで表示領域ＤＡを２分割する第１基準線ＤＬが定義される。この場合に、第１及び第２エッジ部ＥＰ１、ＥＰ２の各々の第１厚さＴ１は第１基準線ＤＬの位置に対応する曲面表示装置６００の第２厚さＴ２より小さい。
この実施形態では第１厚さＴ１の大きさは第２厚さＴ２の大きさの約１０％乃至約７０％である。例えば、第２厚さＴ２は１５ｍｍであり、第１厚さＴ１は５ｍｍである。
上述したように、スリム化された第１及び第２エッジ部ＥＰ１、ＥＰ２を有する曲面表示装置６００の構造をより詳細に説明すれば、次の通りである。
【００１６】
図２は図１Ａに図示された曲面表示装置の分解斜視図であり、図３Ａは図２のＩ−Ｉ’に沿って切断された面を示す断面図であり、図３Ｂは図２に図示された導光部材及び発光ユニットの結合関係を示す部分斜視図であり、図３Ｃは図３Ａに図示された導光部材及び発光ユニットを拡大した図面である。
図２、図３Ａ、図３Ｂ、及び図３Ｃを参照すると、収納部材５８０はバックライトアセンブリ５００の構成要素を収納する。この実施形態では収納部材５８０は多数の底部及び多数の底部から延在された多数の側壁ＷＰを含んで収納空間を提供し、多数の底部は第１底部ＣＰ１、第２底部ＣＰ２、及び中央底部ＣＰ３を含む。
第１底部ＣＰ１は導光部材５５０の第１導光部ＧＰ１と対向し、第２底部ＣＰ２は導光部材５５０の第２導光部ＧＰ２と対向する。尚、中央底部ＣＰ３は第１底部ＣＰ１を第２底部ＣＰ２に連結し、中央底部ＣＰ３は印刷回路基板ＰＢと対向する。
【００１７】
この実施形態では側面上で第１及び第２底部ＣＰ１、ＣＰ２の各々は中央底部ＣＰ３に対して傾いた形状を有する。より詳細には、図３Ａに示したように、中央底部ＣＰ３は第１方向ＤＲ１に並べ、第１底部ＣＰ１は第１方向ＤＲ１の斜線方向である第３方向ＤＲ３に並べる。尚、第２底部ＣＰ２は第１方向ＤＲ１の斜線方向である第４方向ＤＲ４に並べ、第４方向ＤＲ４は第３方向ＤＲ３と交差することができる。
尚、表示パネル５２０の互いに対向する第１エッジ部ＥＰ１−１及び第２エッジ部ＥＰ２−１を定義し、第１及び第２エッジ部ＥＰ１−１、ＥＰ２−１を連結する第２基準線ＤＬ２を定義する時、第１及び第２底部ＣＰ１、ＣＰ２の各々は第２基準線ＤＬ２に対して傾かせている。
【００１８】
表示パネル５２０は第１方向ＤＲ１に沿って曲がった形状を有する。表示パネル５２０は第１基板５２１、第２基板５２２、及び第１基板５２１と第２基板５２２との間に介在される液晶層ＬＣを含む。
この実施形態では、第１基板５２１は多数の画素を含み、多数の画素の各々は画素電極（未図示）及び画素電極側に提供される駆動信号をスイッチングする薄膜トランジスタ（未図示）を含む。第２基板５２２は共通層電極（未図示）及びカラーフィルタ（未図示）を含み、共通層電極は多数の画素電極と共に液晶層ＬＣに作用する電界を形成し、カラーフィルタはバックライトアセンブリ５００から出力される光をカラー光にフィルタリングする。
この実施形態では第１及び第２基板５２１、５２２が上述した構造を有することができるが、本発明は第１及び第２基板５２１、５２２の上述した構造に限定されるものではない。例えば、他の実施形態では第１基板５２１が画素電極の他に共通層電極をさらに含み、その他の実施形態では第１基板５２１がカラーフィルタをさらに含むことができる。
【００１９】
バックライトアセンブリ５００は収納部材５８０に収納されて表示パネル５２０側に光を出力する。この実施形態では、バックライトアセンブリ５００は発光ユニット１００、導光部材５５０、反射板５７０、多数の支持部材ＳＭ、及び光学部材５４０を含む。
この実施形態では発光ユニット１００は多数の光源ＬＰ、印刷回路基板ＰＢ、及び光学レンズＯＬを含む。
多数の光源ＬＰは光を発生する。この実施形態では多数の光源ＬＰは導光部材５５０の第１導光部ＧＰ１と第２導光部ＧＰ２との間に沿って配列される。尚、多数の光源ＬＰは表示パネル５２０の短辺（図１ＡのＥ２）に並べられた第２方向ＤＲ２に配列される。
多数の光源ＬＰは第１導光部ＧＰ１の第１入光面ＬＳ１及び第２導光部ＧＰ２の第２入光面ＬＳ２と隣接するように配列される。したがって、多数の光源ＬＰから発生された光は第１及び第２入光面ＬＳ１、ＬＳ２を通して第１及び第２導光部ＧＰ１、ＧＰ２側に入射される。
この実施形態では多数の光源ＬＰの各々は発光ダイオードを含むＬＥＤパッケージ（light emitting diode package）であってもよい。多数の光源ＬＰの各々は出光面ＬＳ３が上方に向かう上部発光（top emission）型の構造を有する。
【００２０】
印刷回路基板ＰＢは多数の光源ＬＰを実装して多数の光源ＬＰ側に電源を提供する。この実施形態では印刷回路基板ＰＢは第２方向ＤＲ２に延在され、印刷回路基板ＰＢは第１導光部ＧＰ１と第２導光部ＧＰ２との間に重畳して収納部材５８０の中央収納部ＣＰ３上に配置される。
光学レンズＯＬは第１導光部ＧＰ１と第２導光部ＧＰ２との間に位置して多数の光源ＬＰをカバーする。光学レンズＯＬは多数の光源ＬＰから発生された光を第１及び第２導光部ＧＰ１、ＧＰ２側に屈折させる。
この実施形態では、光学レンズＯＬは第２方向ＤＲ２に延在され、光学レンズＯＬは第１光学面ＯＳ１、第２光学面ＯＳ２、及び第３光学面ＯＳ３を有する。第１光学面ＯＳ１は光学レンズＯＬの底部に定義されて出光面ＬＳ３と対向し、第２光学面ＯＳ２は光学レンズＯＬの一側部に定義されて第１入光面ＬＳ１と対向し、第３光学面ＯＳ３は光学レンズＯＬの他側部に定義されて第２入光面ＬＳ２と対向する。
【００２１】
断面上で第２及び第３光学面ＯＳ２、ＯＳ３の各々は出光面ＬＳ３に対して傾かせている。したがって、図３Ｃに示したように、出光面ＬＳ３から出射された光は第１光学面ＯＳ１を通して光学レンズＯＬの内部に入射され、その後、該入射された光は第２及び第３光学面ＯＳ２、ＯＳ３で反射され、その後、該反射された光は第１及び第２入光面ＬＳ１、ＬＳ２を通して第１及び第２導光部ＧＰ１、ＧＰ２側に入射される。
導光部材５５０は多数の光源ＬＰから提供された光を表示パネル５２０側にガイドし、導光部材５５０は多数に分割された形状を有する。この実施形態では、導光部材５５０は第１導光部ＧＰ１及び第１導光部ＧＰ１と離隔された第２導光部ＧＰ２を含む。
第１導光部ＧＰ１はフラットな（flat）形状を有して多数の光源ＬＰの一側に配置される。尚、第２導光部ＧＰ２はフラットな形状を有して多数の光源ＬＰの他側に配置される。したがって、第２導光部ＧＰ２は多数の光源ＬＰ２を介して第１導光部ＧＰ１から離隔される。
【００２２】
この実施形態では第１導光部ＧＰ１及び第２導光部ＧＰ２は楔型（wedge type）の形状を有する。
より詳細には、図３Ａに示したように、第１及び第２導光部ＧＰ１、ＧＰ２の各々の厚さは第１及び第２エッジ部ＥＰ１−１、ＥＰ２−１へと近づくほど、減少する。尚、第１導光部ＧＰ１は第１入光面ＬＳ１及び第１入光面ＬＳ１と対向する第１対向面ＬＳ１−１を有し、第１導光部ＧＰ１の厚さは第１入光面ＬＳ１と近いほど、増加し、第１対向面ＬＳ１−１と近いほど、減少する。第２導光部ＧＰ２は第２入光面ＬＳ２及び第２入光面ＬＳ２と対向する第２対向面ＬＳ２−１を有し、第２導光部ＧＰ２の厚さは第２入光面ＬＳ２と近いほど、増加し、第２対向面ＬＳ２−１と近いほど、減少する。
反射板５７０は収納部材５８０の内部に収納される。反射板５７０は光反射特性を有し、反射板５７０は多数の光源ＬＰから発生された光を導光部材５５０側に反射させる。
反射板５７０は多数に分割された構造を有する。この実施形態では、反射板５７０は第１反射部ＲＰ１及び第１反射部ＲＰ１と離隔された第２反射部ＲＰ２を含む。第１反射部ＲＰ１は第１底部ＣＰ１と第１導光部ＧＰ１との間に配置され、第２反射部ＲＰ２は第２底部ＣＰ２と第２導光部ＧＰ２との間に配置される。
【００２３】
他の実施形態では反射板５７０は第１反射部ＲＰ１を第２反射部ＲＰ２に連結する中央反射部（未図示）をさらに含み、この場合、中央反射部は印刷回路基板ＬＰ及び中央底部ＣＰ３の間に位置してもよい。
光学部材５４０は表示パネル５２０と導光部材５５０との間に配置され、光学部材５４０は導光部材５５０から出射されて表示パネル５２０側に入射される光の経路を調節する。
この実施形態では光学部材５４０は多数の光学シートを含む。例えば、光学部材５４０は拡散シート及びプリズムシートを含み、この場合に光学部材５４０は導光部材５５０から表示パネル５２０に向かって進行する光に対して拡散機能及び集光機能を遂行する。
この実施形態では光学部材５４０は多数の光学シートを含むことができるが、本発明は光学部材５４０の種類に限定されるものではない。例えば、他の実施形態では光学部材５４０は拡散板であり、その他の実施形態では光学部材５４０は反射型偏光板であり、その他の実施形態では位相差板であってもよい。
【００２４】
フレーム部材５３０は光学部材５４０及び表示パネル５２０の各々のエッジ部を支持し
て収納部材５８０と結合される。したがって、フレーム部材５３０によって光学部材５４０及び表示パネル５２０の各々のエッジ部は収納部材５８０に固定される。
この実施形態では、フレーム部材５３０は多数のフレームを含み、多数のフレーム中央表示パネル５２０の長辺と対応するフレームは第１方向ＤＲ１に沿って曲がった形状を有する。
反射部材ＲＭは第１導光部ＧＰ１と第２導光部ＧＰ２との間に重畳されて多数の光源ＬＰをカバーする。この実施形態では反射部材ＲＭは印刷回路基板ＰＢのように第２方向ＤＲ２に延在された形状を有し、反射部材ＲＭは第１及び第２導光部ＧＰ１、ＧＰ２の互いに対向する端部をカバーする。その結果、反射部材ＲＭによって第１及び第２導光部ＧＰ１、ＧＰ２を通して光が外部へ漏洩するのを防止することができ、反射部材ＲＭによって反射された光は第１及び第２導光部ＧＰ１、ＧＰ２側に入射させることができる。
【００２５】
図３Ａに示したように、多数の支持部材ＳＭは反射部材ＲＭと光学部材５４０との間に配置されて光学部材５４０の背面を支持する。多数の支持部材ＳＭは光学部材５４０及び反射部材ＲＭの間の間隔を一定に維持する。したがって、多数の光学部材ＳＭによって光学部材５４０が反射部材ＲＭ側に傾くことが防止される。
この実施形態では多数の支持部材ＳＭは反射部材ＲＭ上に互いに離隔されて配列され、多数の支持部材ＳＭはシリコンのように弾性及び光透過度を有する材料を含む。
カバー部材５１０は第１及び第２エッジ部ＥＰ１−１、ＥＰ２−１のような表示パネル５２０のエッジ部をカバーする。尚、カバー部材５１０はフレーム部材５３０と結合され、カバー部材５１０はフレーム部材５３０と共に表示パネル５２０のエッジ部を支持する。したがって、カバー部材５１０及びフレーム部材５３０によって表示パネル５２０の曲がった形状が維持される。
【００２６】
図４は本発明の他の実施形態による曲面表示装置の発光ユニット及び導光部材を示す断面図である。図４の説明において、先に説明された構成要素に対しては図面符号を併記し、構成要素に対する重複された説明は省略される。
図３Ａに図示された実施形態では第１導光部ＧＰ１と第２導光部ＧＰ２との間に光学レンズ（図３ＡのＯＬ）が配置されるが、図４に図示された実施形態では第１導光部ＧＰ１と第２導光部ＧＰ２との間に反射型カバー部材Ｒ−ＣＭを含む。
反射型カバー部材Ｒ−ＣＭは光反射特性を有し、反射型カバー部材Ｒ−ＣＭは多数の光源ＬＰから発生された光を第１及び第２導光部ＧＰ１、ＧＰ２側に反射させる。
この実施形態では反射型カバー部材Ｒ−ＣＭは第１カバー部Ｐ１及び第２カバー部Ｐ２を含む。第１カバー部Ｐ１は第１及び第２導光部ＧＰ１、ＧＰ２の互いに対向する上端部をカバーし、第１カバー部Ｐ１は第１及び第２導光部ＧＰ１、ＧＰ２の間と重畳して多数の光源ＬＰをカバーする。尚、第１カバー部Ｐ１には第１出射面ＳＳ１及び第２出射面ＳＳ２が定義され、側面上で第１及び第２出射面ＳＳ１、ＳＳ２の各々は多数の光源ＬＰの出光面ＬＳ３に対して傾かせている。
【００２７】
第２カバー部Ｐ２は第１及び第２導光部ＧＰ１、ＧＰ２の互いに対向する下端部をカバーする。第２カバー部Ｐ２には多数の光源ＬＰの位置に一対一で対応する多数のホールが定義され、多数のホールに多数の光源ＬＰが収容される。したがって、多数の光源ＬＰの出光面ＬＳ３は第１入射面ＬＳ１、第２入射面ＬＳ２及び反射型カバー部材Ｒ−ＣＭによって囲まれる空間に露出される。
反射型カバー部材Ｒ−ＣＭの上述した構造によれば、多数の光源ＬＰから発生された光は第１及び第２出射面ＳＳ１、ＳＳ２で反射された後、該反射された光は第１及び第２入射面ＬＳ１、ＬＳ２を通して第１及び第２導光部ＧＰ１、ＧＰ２側に入射される。尚、反射型カバー部材Ｒ−ＣＭによって多数の光源ＬＰが囲まれているので、反射型カバー部材Ｒ−ＣＭによって第１導光部ＧＰ１と第２導光部ＧＰ２との間を通して光が外部へ漏洩するのを防止することができる。
【００２８】
図５は本発明の他の実施形態による曲面表示装置の発光ユニット及び導光部材を示す断面図である。図５の説明において、先に説明された構成要素に対しては図面符号を併記し、構成要素に対する重複説明は省略される。
図５を参照すると、この実施形態では第１導光部ＧＰ１と第２導光部ＧＰ１、ＧＰ２との間に光学レンズ（図３ＡのＯＬ）の代わりに補助支持部材ＳＭ−１が配置される。
補助支持部材ＳＭ−１は中央収納部ＣＰ３上に配置される。尚、補助支持部材ＳＭ−１は中央収納部ＣＰ３に対して傾いた第１傾斜面Ｓ１１及び第２傾斜面Ｓ１２を有する。第１傾斜面Ｓ１１は第１導光部ＧＰ１の第１入射面ＬＳ１と対向し、第２傾斜面Ｓ１２は第２導光部ＧＰ２の第２入射面ＬＳ２と対向する。
【００２９】
この実施形態では第１印刷回路基板ＰＢ１は第１傾斜面Ｓ１１上に配置され、第２印刷回路基板ＰＢ２は第２傾斜面Ｓ１２上に配置される。尚、第１光源ＬＰ１は第１印刷回路基板ＰＢ１上に配置され、第２光源ＬＰ２は第２印刷回路基板ＰＢ２上に配置される。
先に図３Ｃを参照して説明されたように、第１及び第２光源ＬＰ１、ＬＰ２が上部発光型である場合に、第１光源ＬＰ１の各々の出光面は第１導光部ＧＰ１の第１入射面ＬＳ１と対向し、第２光源ＬＰ２の各々の出光面は第２導光部ＧＰ２の第２入射面ＬＳ２と対向する。
したがって、第１及び第２光源ＬＰ１、ＬＰ２から発生された光の経路を調節する別の光学部品無しで、第１及び第２光源ＬＰ１、ＬＰ２から発生された光は第１及び第２入光面ＬＳ１、ＬＳ２側に直接的に到達して第１及び第２導光部ＧＰ１、ＧＰ２側に入射させることができる。
【００３０】
図６Ａ及び図６Ｂは本発明の他の実施形態による曲面表示装置の発光ユニット及び導光部材を示す図面である。図６Ａ乃至図６Ｂの説明において、先に説明された構成要素に対しては図面符号を併記し、構成要素に対する重複説明は省略される。
図６Ａ及び図６Ｂを参照すると、この実施形態では反射部材（図３ＣのＲＭ）の代わりに拡散部材ＤＭが第１及び第２導光部ＧＰ１、ＧＰ２の互いに対向する端部上に配置される。より詳細には、拡散部材ＤＭは第１及び第２導光部ＧＰ１、ＧＰ２の間と重畳されて多数の光源ＬＰをカバーする。
したがって、多数の光源ＬＰから発生して第１導光部ＧＰ１と第２導光部ＧＰ２との間を通して外部へ漏洩された光は拡散部材ＤＭによって拡散されるので、漏洩された光によって表示パネル（図３Ａの５２０）に周辺より輝度が高い輝線が発生するのを防止することができる。
この実施形態では拡散部材ＤＭはバース部ＢＰ及びバース部ＢＰ上に配置された光散乱部ＤＰを含む。バース部ＢＰはポリメチルメタクリラート（ＰＭＭＡ：polymethylmetacrylate）、ポリカーボネート（ＰＣ：polycarbonate）、及びポリスチレン（ＰＳ：polystyrene）のような光透過性を有するプラスチックを含み、光散乱部ＤＰは二酸化チタニウムのような半透過性物質を含む。
この実施形態では光散乱部ＤＰの密度は多数の光源ＬＰの位置によって変えられる。より詳細には、バース部ＢＰに多数の光源ＬＰの位置と対応する第１領域及び多数の光源ＬＰの中で互いに隣接する２つの光源の間に対応する第２領域が定義されれば、第１領域での光散乱部ＤＰの密度は第２領域での光散乱部ＤＰの密度より大きい。
したがって、第２領域より第１領域で光散乱部ＤＰによって拡散部材ＤＭの拡散機能を向上させることができ、その結果、多数の光源ＬＰの位置に一対一で対応して表示パネル周辺より輝度の高い輝点が発生してしまうのを防止することができる。
【００３１】
図７は本発明の他の実施形態による曲面表示装置の発光ユニット及び導光部材を示す断面図である。図７の説明において、先に説明された構成要素に対しては図面符号を併記し、構成要素に対する重複説明は、省略される。
図７を参照すると、この実施形態では先に図３Ｃを参照して説明された反射部材ＲＭ及び図６Ａを参照して説明された拡散部材ＤＭが第１導光部ＧＰ１と第２導光部ＧＰ２との間をカバーする。
したがって、反射部材ＲＭによって第１導光部ＧＰ１と第２導光部ＧＰ２との間を通して漏洩される光を反射することができる。尚、第１導光部ＧＰ１と第２導光部ＧＰ２との間を通して一部の光が漏洩されても、漏洩された光は拡散部材ＤＭによって拡散される。その結果、表示パネル周辺より輝度が高い輝点又は輝線が発生するのを防止することができる。
以上では本発明の望ましい実施形態を参照して説明したが、該当技術分野の熟練された当業者又は該当技術分野に通常の知識を有する者であれば、後述される特許請求の範囲に記載された本発明のマッピング及び技術領域から逸脱しない範囲内で本発明を多様に修正及び変形できることは理解できる。したがって、本発明の技術的範囲は、明細書の詳細な説明に記載された内容に限定されるものではなく、特許請求の範囲によって定まれなければならない。
【符号の説明】
【００３２】
６００  曲面表示装置
５００  バックライトアセンブリ
５１０  カバー部材
５２０  表示パネル
５３０  フレーム部材
５７０  反射板
５８０  収納部材
５５０  導光板
ＰＢ  印刷回路基板
ＬＰ  多数の光源
ＧＰ１  第１導光部
ＧＰ２  第２導光部
ＯＬ  光学レンズ
ＳＭ  支持部材
ＳＭ−１  補助支持部材
ＲＭ  反射部材
【図１Ａ】
2016136250.tif 000003
【図１Ｂ】
2016136250.tif 000004
【図２】
2016136250.tif 000005
【図３Ａ】
2016136250.tif 000006
【図３Ｂ】
2016136250.tif 000007
【図３Ｃ】
2016136250.tif 000008
【図４】
2016136250.tif 000009
【図５】
2016136250.tif 000010
【図６Ａ】
2016136250.tif 000011
【図６Ｂ】
2016136250.tif 000012
【図７】
2016136250.tif 000013